(57)【要約】【課題】電気室に収納設置されるＶＣＢやトランスの台数を低減して電気室スペースを縮減することができると共に、コストダウンを図ることができるシングルバンク型電源供給システムを提供する。【解決手段】電気室を１つの室に対して１台のトランス８、８Ａ、８Ｂ、８Ｃを収納設置したシングルバンク型電気室６、６Ａ、６Ｂ、６Ｃとなし、該シングルバンク型電気室６、６Ａ、６Ｂ、６Ｃを異なる用途毎に構成して各階に分散配置すると共に、分散配置された前記シングルバンク型電気室６、６Ａ、６Ｂ、６Ｃから複数の階に対して各々用途毎に分岐配線してなるシングルバンク型電気供給システム。【選択図】        図１
2004201396.tif 000002
【特許請求の範囲】
【請求項１】
電気室を１つの室に対して１台のトランスを収納設置したシングルバンク型電気室となし、該シングルバンク型電気室を異なる用途毎に構成して各階に分散配置すると共に、分散配置された前記シングルバンク型電気室から複数の階に対して各々用途毎に分岐配線してなることを特徴とするシングルバンク型電源供給システム。
【請求項２】
各階に分散配置される前記シングルバンク型電気室を用途に応じて異なる数配置してなることを特徴とする請求項１に記載のシングルバンク型電源供給システム。
【請求項３】
前記用途を少なくとも電灯用、ＯＡ機器用、及び動力用に分けてなることを特徴とする請求項１又は２のいずれかに記載のシングルバンク型電源供給システム。
【請求項４】
前記シングルバンク型電気室に一対の受電用兼トランス用ＶＣＢ１台とトランス１台を収納設置してなることを特徴とする請求項１ないし３のいずれかに記載のシングルバンク型電源供給システム。
【発明の詳細な説明】
【０００１】
【発明の属する技術分野】
本発明は、テナントオフィスビル等の建築物、特に高層建築物における高圧・低圧配電に適用できる、１つの電気室に対して１台のトランスを収納設置した電気室（以下本発明においてシングルバンク型電気室という）を有する電源供給システムに関するものである。
【０００２】
【従来の技術】
オフィスビル等の高層建築物における高圧・低圧配電に適用されている電源供給システムとしては、従来、図２に示すように集中配置された電気室から分岐配線により各階に電源供給する集中電気室タイプと、図３に示すように電気室を上下複数の階を一単位として上下に区分された複数の階層群毎に分散配置し、該電気室から分岐配線により各階に電源供給する分散電気室タイプの２つの電源供給システムがある。
【０００３】
集中電気室タイプは、図２に示すように建物の地階あるいは最上階の1箇所又は2箇所に高圧電源受電用ＶＣＢ１１（ＶＣＢはトランスを保護するためにその一次側に設けられる真空遮断器の略称を意味する）、容量の異なる複数台のトランス１２、該トランスに対応して設けられるトランス用ＶＢＣ１３等を収納設置した電気室１４を設け、該電気室１４に特別高圧電気室１５から高圧幹線１６を介して高圧電源を供給すると共に、該電気室１４から幹線ケーブル１７を縦通させて各階１８に低圧電源を供給するようにしたものである。しかして、このような集中電気室タイプの電源供給システムは、各階１８への電源供給用に各階の電気設定容量に見合う太くて大容量の幹線ケーブル１７を必要とするため、配線の施工性が悪い上に材料コストが高くなる等の問題点を有していた。（例えば、特許文献１参照。）
【０００４】
そこで、集中電気室タイプの問題点を改善できるものとして、図３に示すように特別高圧電気室２５から高圧幹線２６を介して高圧電源が供給される電気室２４を上下に区分された複数の階層群２９毎に分散して配置し、分散配置された各電気室２４から幹線ケーブル２７により各階２８に低圧電源を供給するようにしたものが提案されている。（例えば、特許文献１参照。）
なお、各電気室２４には、高圧電源の受電用ＶＣＢ２１、容量の異なる複数台のトランス２２、該トランス２２に対応して設けられるトランス用ＶＣＢ２３等が収納設置されている。
【０００５】
【特許文献１】
特開平５−１０３４０９号公報（第２−３頁、図６、図８）
【０００６】
しかしながら、従来の分散電気室タイプの電源供給システムは、以下のような問題点を内包している。
（１）上下に区分された複数の階層群２９毎に電気室２４を分散配置しているため、受電用ＶＣＢ２１が電気室２４の数だけ必要となり、コストアップの要因となる。因みに、図３に示す例は１６階建てのビルであり、上下４階毎に階層群２９を区分しているため、ＶＣＢ２１が受電用及びトランス用で合計２０台必要となる。
（２）階層群２９毎に１つの電気室２４を分散配置しているため、電気室２４が在る階と無い階が発生し、これによって基準階プランが複雑になると共に、不必要な電気室スペースが発生する問題がある。
【０００７】
（３）階層群２９毎に１つの電気室２４を分散配置しているため、電気室２４の保守・トラブル時には、階層群２９毎に全ての階が停電することになる。
（４）階層群２９毎に１つの電気室２４を分散配置しているため、総トランス台数が多くなる。因みに、図３に示した例では、用途毎に異なる容量のトランス２２を設置する必要があることから、電灯用の１Φ３００ｋＶＡトランス２２Ａを４台、ＯＡ用の１Φ３００ｋＶＡトランス２２Ｂを８台、空調等動力用の３Φ２５０ｋＶＡトランス２２Ｃを４台の合計１６台を設置している。
なお、図２に示す集中電気室タイプの電源供給システムにおいては、ＶＣＢ１１及び１３が合計１６台、トランスは用途に応じて１Φ３００ｋＶＡトランス１２Ａが１２台、１Φ３００ｋＶＡトランス１２Ｂが２台の合計１４台が必要である。
【０００８】
【発明が解決しようとする課題】
本発明は、上記した問題に対処するためになされたものであり、その第一の課題は、電気室に収納設置されるＶＣＢやトランスの台数を低減して電気室スペースを縮減することができると共に、コストダウンを図ることができるシングルバンク型電源供給システムを提供することにある。
【０００９】
また、本発明の他の課題は、電気室の小型化及び基準階プランの統一化によって建物のレンタブル比を向上させることができるシングルバンク型電源供給システムを提供することにある。
本発明の更なる課題は、電気室の保守・トラブル時に、各階が全て停電状態になるのを回避すると共に、保守・トラブル時のバックアップシステムの構築を容易化し、信頼性を高めることができるシングルバンク型電源供給システムを提供することにある。
【００１０】
【課題を解決するための手段】
上記した課題を解決するため、請求項１に係る発明のシングルバンク型電源供給システムは、電気室を１つの室に対して１台のトランスを収納設置したシングルバンク型電気室となし、該シングルバンク型電気室を異なる用途毎に構成して各階に分散配置すると共に、分散配置された前記シングルバンク型電気室から複数の階に対して各々用途毎に分岐配線してなることを特徴とするものである。
上記のように1つの室に対して１台のトランスを収納設置したシングルバンク型電気室を異なる用途毎に各階に分散配置することにより、受電用ＶＣＢとトランス用ＶＣＢを1つのＶＣＢで兼用することができるようになるため、ＶＣＢの台数を低減することができると共に、用途毎に最適容量のトランスを選定することができるようになるため、総トランス台数あるいは総容量を低減することができる。また、各階に電気室が分散配置されるため、基準階プランを統一できると共に、各電気室を1台のトランスを収納設置したシングルバンク型とすることによって電気室スペースを省スペース化することができる。更には、用途毎に電気室が分散配置されているため、電気室の保守・トラブル時にも、各階全体が停電するのを回避することができる。
【００１１】
また、請求項２に係る発明のシングルバンク型電源供給システムは、請求項１に記載されたシングルバンク型電源供給システムにおいて、各階に分散配置される前記シングルバンク型電気室を用途に応じて異なる数配置してなることを特徴とするものである。
各階に用途の異なる電気室を分散配置するに当たっては、用途毎に必要な総トランス容量が異なることから、用途毎に必要な総トランス容量を確保する必要があるが、上記のように電気室を用途に応じて異なる数だけ分散配置することによって、用途毎に必要な総トランス容量を確保することができる。
【００１２】
更に、請求項３に係る発明のシングルバンク型電源供給システムは、請求項１又は２のいずれかに記載されたシングルバンク型電源供給システムにおいて、前記用途を少なくとも電灯用、ＯＡ機器用、及び動力用に分けてなることを特徴とするものである。
このように電気室を用途すなわち電灯用、ＯＡ機器用、あるいは動力用等に分けて各階に分散配置することによって、各用途毎に最適な電気室を構築し、最適トランス容量の選定を可能とすることができる。
【００１３】
更にまた、請求項４に係る発明のシングルバンク型電源供給システムは、請求項１ないし３のいずれかに記載されたシングルバンク型電源供給システムにおいて、前記シングルバンク型電気室に一対の受電用兼トランス用ＶＣＢ１台とトランス１台を収納設置してなることを特徴とするものである。
このように各階毎に用途の異なるシングルバンク型電気室を分散配置し、このシングルバンク型電気室に一対の受電用兼トランス用ＶＣＢ1台とトランス１台を収納設置するようにしているため、各電気室の一層の小型化及び基準階プランの統一化によって建物のレンタブル比を向上させることができる。
【００１４】
【発明の実施の形態】
以下に本発明の実施の形態を図１に基づいて説明する。
図１は本発明の実施形態に係るシングルバンク型電源供給システムの構成を示す概念図である。
【００１５】
図中において、１はテナントオフィスビル等の高層建築物であり、ここでは１６階建て高層建築物が例示されている。この高層建築物１は、シャフトスペース２とフロアスペース３を有している。
また、地階には特別高圧電気室４が設けられ、複数系統の高圧幹線５から高圧ケーブル５Ａの分岐モールドを介して各階のシャフトスペース２内に分散配置されている電気室６に高圧電源を供給できるようになっている。
【００１６】
一般的には１つの電気室に対して複数のトランス（トランス１系統をバンクと呼んでいる）を収納設置しているが、ここでの電気室６は１つの電気室に対して１台のトランスを収納設置したシングルバンク型の電気室６として構成され、各階に分散配置されている。
このシングルバンク型電気室６は、用途毎に電灯用のシングルバンク型電気室６Ａ、ＯＡ用のシングルバンク型電気室６Ｂ、空調等動力用のシングルバンク型電気室６Ｃに分けて構成され、各々には一対のＶＣＢ７（トランスを保護するためにその一次側に設けられる真空遮断器の略称）と用途に応じた容量のトランス８が収納設置されている。
【００１７】
また、シングルバンク型電気室６Ａ、６Ｂ、６Ｃは、各用途に対応して異なる数の電気室、すなわち電灯用のシングルバンク型電気室６Ａが４室、ＯＡ用のシングルバンク型電気室６Ｂが８室、空調等動力用のシングルバンク型電気室６Ｃが２室の合計１４室の電気室が各階に分散配置されており、それぞれのシングルバンク型電気室６Ａ、６Ｂ、６Ｃから複数の階に対して各々用途毎に幹線ケーブル９を介して低圧電源が供給されるように配線されている。
【００１８】
なお、各電気室６Ａ、６Ｂ、６Ｃ内に収納設置されるトランス８としては、電灯用の１Φ３００ｋＶＡトランス８Ａが４台、ＯＡ用の１Φ３００ｋＶＡトランス８Ｂが８台、空調等動力用の３Φ２５０ｋＶＡトランス８Ｃが２台の合計１４台が設置されており、これらのトランス８Ａ、８Ｂ、８Ｃに対して合計１４台のＶＣＢ７が設置されている。
【００１９】
しかして、上記した実施形態において、地階に設けられた特別高圧電気室４から高圧幹線５を介して各階のシャフトスペース２に分散配置された用途の異なるシングルバンク型電気室６Ａ、６Ｂ、６Ｃに高圧電源を供給し、各シングルバンク型電気室６Ａ、６Ｂ、６Ｃに収納設置されているトランス８Ａ、８Ｂ、８Ｃを介して降圧することによって、該シングルバンク型電気室６Ａ、６Ｂ、６Ｃから用途毎に複数の階に対し、各々幹線ケーブル９を介して低圧電源が供給されることになる。
【００２０】
ここでシングルバンク型電気室６A、６Ｂ、６Ｃは、従来の分散電気室タイプのように階層群毎に分散配置されるのではなく、電灯用、OA用、動力用等のように異なる用途毎に各階に分散配置されるようになっているため、各シングルバンク型電気室６A、６Ｂ、６Ｃにおける受電用ＶＣＢをトランス用ＶＣＢと兼用して１つのＶＣＢ７を設置したものとして構成することができる。
【００２１】
従って、本実施形態ではＶＣＢ７の台数を合計１４台とすることができ、従来の集中電気室タイプの１６台、分散電気室タイプの２０台に比べてＶＣＢ７の台数を低減することができる結果、コストダウンと機能向上を同時に実現することができる。
【００２２】
また、各階に用途の異なるシングルバンク型電気室６A、６Ｂ、６Ｃが分散配置されるため、建築的に基準階プランを統一化することができると共に、各電気室を小型化して不必要な電気室スペースを削減することができることから、建物のレンダブル比を向上させることができる。
更には、各電気室を小型化できることによって、高価な消火設備の設置が不要となり、これによってもコスト低減を図ることができると共に、シャフトスペース２内に電気室を設置してシャフトスペース２と一体化することによって、省スペース化を実現することができる。
【００２３】
また、用途毎にシングルバンク型電気室６A、６Ｂ、６Ｃを分散配置するようにしているため、電気室の保守・トラブル時に各階全体の停電を回避することができると共に、各シングルバンク型電気室６A、６Ｂ、６Ｃに収納設置されるトランス８A、８Ｂ、８Ｃを用途に応じた最適容量のトランスを選定して設置することができるため、従来の分散電気室タイプに比べて、総トランス台数あるいは総トランス容量の低減が可能となり、一層のコストダウンと機能向上を実現することができる。
【００２４】
因みに、従来の分散電気室タイプの場合には、１Φ３００ｋＶAトランスが１２台、３Φ２５０ｋＶAトランスが４台の合計１６台であるのに対して、本実施形態では、１Φ３００ｋＶAトランスが１２台、３Φ２５０ｋＶAトランスが２台の合計１４台とすることができる。
【００２５】
更に、各階に用途の異なるシングルバンク型電気室６A、６Ｂ、６Ｃを分散配置するに当たっては、用途毎に必要な総トランス容量が異なることから、用途毎に必要な総トランス容量を確保する必要があるが、上記のようにシングルバンク型電気室６A、６Ｂ、６Ｃを用途に応じて異なる数だけ分散配置することによって、各用途に必要な総トランス容量を確保することができる。
【００２６】
また、シングルバンク型電気室６A、６Ｂ、６Ｃを用途すなわち電灯用、ＯＡ機器用、あるいは動力用等に分けて各階に分散配置することによって、各用途毎に最適な電気室を構築し、最適トランス容量の選定を可能とすることができると共に、各階毎に用途の異なるシングルバンク型電気室６A、６Ｂ、６Ｃを分散配置し、このシングルバンク型電気室６A、６Ｂ、６Ｃに一対の受電用兼トランス用ＶＣＢ1台とトランス１台を収納設置するようにしているため、各電気室の一層の小型化を図り、基準階プランの統一化と相まって建物のレンタブル比をより向上させることができる。
【００２７】
以上から明らかなように、本実施形態によると、高圧側に設置されるＶＣＢの台数を削減することができると共に、低圧側のケーブルサイズ、亘長を低減することが可能となるため、イニシャルコストの大幅低減やランニングコスト及び地球環境負荷の低減を図ることができる。
また、各階毎のフロア面積が比較的大きく、階数も高いテナントビル等の高層建築物において、電気室の小型化及び基準階プランの統一化を図ることによって建物のレンダブル比を向上させることができると共に、電気室が用途毎に分散配置されているため、電気室の保守・トラブル時に各階一斉の停電を回避できるうえ、保守・トラブル時のバックアップシステムの構築を容易化し、信頼性の向上を図ることができる等の多大の効果を奏する。
【００２８】
なお、用途毎に分散配置される各シングルバンク型電気室６A、６Ｂ、６Ｃ内に収納配置されるトランス８A、８Ｂ、８Ｃを各電気室に設置される図示省略の低圧配電盤と一体にユニット化することによって、更なるコスト低減を期待することができる。
また、シングルバンク型電気室６A、６Ｂ、６Ｃが、用途毎に各階に分散配置され、各シングルバンク型電気室６A、６Ｂ、６Ｃから各々異なる複数の階に低圧電源を供給するようにしているため、低圧側をリンクすることによって、比較的安価に低圧側のバックアップシステムを構築することができる。
【００２９】
【発明の効果】
以上に詳細を説明したように、本発明に係るシングルバンク型電源供給システムによると、電気室に収納設置されるＶＣＢやトランスの台数を低減して電気室スペースを縮減することができると共に、イニシャルコスト及びランニングコストの低減と機能向上を実現することができる。
また、電気室の小型化及び基準階プランの統一化によって建物のレンダブル比を向上させることができると共に、電気室の保守・トラブル時に、各階が全て停電すると云う問題を回避できるだけでなく、保守・トラブル時のバックアップシステムの構築を容易化し、信頼性を高めることができる。
【図面の簡単な説明】
【図１】本発明の実施形態に係るシングルバンク型電源供給システムの構成を示す概念図である。
【図２】従来の集中電気室タイプの電源供給システムの構成を示す概念図である。
【図３】従来の分散電気室タイプの電源供給システムの構成を示す概念図である。
【符号の説明】
１…高層建築物、２…シャフトスペース、３…フロアスペース、４…特別高圧電気室、５…高圧幹線、６，６A，６B，６C…シングルバンク型電気室、７…ＶＣＢ、８，８A，８B，８C…トランス、９…幹線ケーブル
【図１】
2004201396.tif 000003
【図２】
2004201396.tif 000004
【図３】
2004201396.tif 000005